(57)【要約】【課題】布団乾燥機等で少量の温風で短時間に暖かく保温することができ、お年寄りでも簡単に取り付けや取り外しの操作が簡単にできる羽毛ふとんを提供すること。【解決手段】通気性の少ない上中地３と下中地４の数箇所を所定の大きさにカットしてメッシュ生地５を縫い付け排出口５０を設ける。またマチテープで上部区画と中部区画と下部区画を作り中部区画の筒状送風路８に設けた排出口５０より温風を送り込むことで短時間に保温でき取り扱いも通風口９に布団乾燥機等のホースを差し込むだけで取り付け取り外しが簡単にできる。【選択図】  図１
2007209684.tif 000002
【特許請求の範囲】
【請求項１】
表側生地と裏側生地の縦方向と横方向にマチテープを付け、表側生地と裏側生地のマチテープを縫い合わせて区画を作り、外周を縫い合わせた立体キルト羽毛ふとんに於いて、通気性の少ない上中生地と下中生地の数箇所を所定の大きさにカットし、開口部を設けこの開口部にメッシュ生地を縫い付け充填物の羽毛の移動を防ぎ温風の排出口とし、さらに上中生地と下中生地の縦方向と横方向にマチテープを付け外周を縫製し封筒状送風路にして、縦方向と横方向にマチテープを付けた表側生地と裏側生地の間に挟みマチテープで縫い合わせて、複数の区画を作り、通気性の少ない封筒状に縫製した通風口を縦方向または横方向に設け外周を縫製し通風口より温風を取り込むことを特徴とする立体キルト羽毛ふとん。
【請求項２】
縦方向と横方向にマチテープを付けた表側生地と裏側生地を、通気性の少ない上中生地と下中生地の数箇所を所定の大きさにカットし、開口部を設けこの開口部にメッシュ生地を縫い付け充填物の羽毛の移動を防ぎ温風の排出口とし、さらに上中生地と下中生地の縦方向と横方向にマチテープを付け所定の幅に縫い合わせ封筒状通風路を複数設けて、縦方向と横方向にマチテープで縫い合わせて、さらに通気性の少ない封筒状に縫製した通風口を縦方向または横方向に設け外周を縫製し上部区画、封筒状通風路、下部区画の三層構造の複数区画を作り通風口より温風を取り込むことを特徴とする立体キルト羽毛ふとん。
【請求項３】
上中生地と下中生地の封筒状送風路を所定に幅に複数本設け使用者の好みに合せた排出口を設けることを特徴とする請求項１又は、請求項２に記載の立体キルト羽毛ふとん。
【請求項４】
通気性の少ない通気度1,0以下の上中生地と下中生地を使用することを特徴とする請求項１、請求項２又は、請求項３のいずれかに記載の立体キルト羽毛ふとん。
【発明の詳細な説明】
【技術分野】
【０００１】
本発明は、就寝前に布団乾燥機等で羽毛ふとんを少量の温風で短時間に暖め保温する構造を備えた羽毛ふとんに関するものである。
【背景技術】
【０００２】
従来は布団を温める時、布団乾燥機で袋状の物を掛布団と敷布団の間に入れて使用していた。
【０００３】
また、エアーコントロールふとんでは、通気性を有する布地で通風路を作りふとん全体に温冷風機を寝ている間使用し、温度をセンサーでコントロールするので、音も気になりしかも電気代が掛かっていた（例えば、特許文献１、特許文献２参照）。
【特許文献１】特許第２６３０７３３号公報
【特許文献２】特許第２６１６８５７号公報
【発明の開示】
【発明が解決しようとする課題】
【０００４】
従来公知の布団の乾燥及び暖めるのに布団乾燥機は、取り付け、取り外しが面倒で大変であった。
【０００５】
エアーコントロールふとんでは、広範囲に風を送り込むことで大きな風力が必要で睡眠中、音も気になり価格も高価なものであった。
【０００６】
本発明は、このような従来の問題を解決しようとするものであり、取り付けや取り外しが簡単で就寝前３０分から６０分以内で暖かく保温性を持たせた羽毛ふとんを提供することを目的とするものである。
【課題を解決するための手段】
【０００７】
上記目的を達成するため、請求項１の発明は、表側生地と裏側生地の縦方向と横方向にマチテープを付け、通気性の少ない上中生地と下中生地の数箇所を所定の大きさ、例えば約４ｃｍ×６ｃｍにカットする。そしてその箇所にメッシュ生地を縫い付け充填物の羽毛の移動を防ぎ温風の排出口とし、さらに上中生地と下中生地の縦方向と横方向にマチテープを付け外周を縫製し封筒状に空気の通る状態にする。さらにマチテープを付けた表側生地と裏側生地の間にマチテープを付けた封筒状通風路の上中生地と下中生地をマチテープで縫い合わせ、通気性の少ない封筒状に縫製した通風口を縦方向または横方向に付ける。以上の構成により外周を縫製し複数の区画を作り羽毛を充填する立体キルト羽毛ふとんに於いて、上中生地と下中生地の封筒状通風路を設け、送風口より布団乾燥機等で温風を送りメッシュ生地を縫い付けた排出口より、羽毛を充填した上区画部及び下区画部の羽毛を少量の温風で短時間に暖め保温性をもたせることができる。
【０００８】
請求項２の発明は、縦方向と横方向にマチテープを付けた表側生地と裏側生地を、通気性の少ない上中生地と下中生地の数箇所を所定の大きさにカットし、排出口を設けこの排出口にメッシュ生地を縫い付け充填物の羽毛の移動を防ぎ温風の排出口とする。さらに上中生地と下中生地の縦方向と横方向にマチテープを付け所定の幅に縫い合わせ封筒状通風路を複数設けて、縦方向と横方向にマチテープを縫い合わせて通気性の少ない封筒状に縫製した通風口を縦方向または横方向に設け、外周を縫製し上部区画、封筒状通風路、下部区画の三層構造の上部区画及び下部区画に羽毛を充填し封筒状通風路に設けた排出口より小量の温風で短時間に暖め保温性をもたせることができる。
【０００９】
請求項３の発明は、上中生地と下中生地の封筒状送風路を所定の幅に複数本設け使用者の好みに合せた排出口を設ける。例えば衿元、お腹、足元と冷える部分に排出口を重点的に設け、小量の温風で短時間に暖め保温性をもたせることができる。
【００１０】
請求項４の発明は、上中生地と下中生地を合せて作る封筒状送風路を通気度１，０以下の生地を使用することで封筒状送風路より温風が逃げることなく排出口より充填物の羽毛を小量の温風で短時間に暖め保温性をもたせることができる。
【００１１】
上記請求項１の課題解決手段による作用は、通気性の少ない中生地を数箇所カットしメッシュ生地を縫い付け排出口を封筒状通風路に設けることにより少量の温風でメッシュ箇所の排出口より上区画と下区画に充填した羽毛を暖め保温し、送風口に布団乾燥機等の取り付け取り外しが簡単にできる。
【００１２】
また、請求項２課題解決手段による作用は、封筒状送風路を複数設けることで羽毛ふとん全体が三層構造となり、上部区画と下部区画の間に封筒状通風路ができ排出口より充填した羽毛を小量の温風で短時間に暖め保温し、送風口に布団乾燥機等の取り付け取り外しが簡単にできる。
【発明の効果】
【００１３】
上述したように本発明の立体キルト羽毛ふとんは短時間で小量の温風で充填物の羽毛を暖めることができ温風を供給する布団乾燥機等の取り付け取り外しが簡単にできる羽毛ふとんを提供できる。
【００１４】
また、封筒状通風路を複数設けることで衿元、お腹、足元と、特に冷える部分に排出口を重点的に設け、小量の温風で短時間に暖め保温性をもたせる羽毛ふとんを提供できる。
【発明を実施するための最良の形態】
【００１５】
以下、本発明の実施の形態を図１〜図６に基づいて説明する。
【実施例１】
【００１６】
これらの図において、表側生地１に縦方向マチテープ６と横方向マチテープ７を付け裏側生地２に縦方向マチテープ６と横方向マチテープ７を付け、通気性の少ない上中生地３と下中生地４の数箇所を所定の大きさ、例えば約４ｃｍ×６ｃｍにカットする。そしてその箇所にメッシュ生地５を縫い付け充填物１０の羽毛の移動を防ぎ温風の排出口５０とする。上記封筒状送風路８に縦方向マチテープ６と横方向マチテープ７を付け表側生地１と裏側生地２の間に挟み縦方向マチテープ６と横方向マチテープ７で縫い合わせ、複数の区画を作り外周を縫い合わせたものである。
【００１７】
図２は、図１におけるＡ−Ａ線に沿う断面図であり、図３は、図１におけるＢ−Ｂ線に沿う断面図である、充填物１０の羽毛を投入した状態を示した図である。通風口９より布団乾燥機等で温風を吹き込み、メッシュ生地５を縫い付けた排出口５０より温風を吹き出し羽毛を暖め保温力を確保することができる。
【００１８】
図４は、図１の表側生地１と裏側生地２の間に、通気性の少ない上中生地３と下中生地４の数箇所を所定の大きさ、例えば約４ｃｍ×６ｃｍにカットする。そしてその箇所にメッシュ生地５を縫い付けて排出口５０とし、上記封筒状送風路８に縦方向マチテープ６と横方向マチテープ７を付けた上中生地３と下中生地４を示したものである。
【００１９】
図５は、表側生地１と裏側生地２の間に複数の封筒状送風路８を設けた上中生地３と下中生地４を示した一例である。
【００２０】
図６は、表側生地１と裏側生地２の間に複数の封筒状送風路８を設け排出口５を使用者の好みに合せた上中生地３と下中生地４を示した一例である。
【産業上の利用可能性】
【００２１】
羽毛ふとんの充填物の羽毛を少量の温風で暖め保温し、取り付け取り外しが簡単にできる。
【図面の簡単な説明】
【００２２】
【図１】羽毛ふとんの側地の平面図である。
【図２】羽毛を充填した状態の図１におけるＡ−Ａ線に沿う断面図である。
【図３】羽毛を充填した状態の図１におけるＢ−Ｂ線に沿う断面図である。
【図４】上中生地、下中生地を封筒状送風路にした斜視図である。
【図５】上中生地、下中生地を封筒状送風路に複数設けた斜視図である。
【図６】上中生地、下中生地を封筒状送風路に複数設けた斜視図である。
【符号の説明】
【００２３】
１      表側生地
２      裏側生地
３      上中生地
４      下中生地
５      メッシュ生地
６      縦方向マチテープ
７      横方向マチテープ
８      封筒状通風路
９      通風口
１０      充填物
５０      排出口
【図１】
2007209684.tif 000003
【図２】
2007209684.tif 000004
【図３】
2007209684.tif 000005
【図４】
2007209684.tif 000006
【図５】
2007209684.tif 000007
【図６】
2007209684.tif 000008